(57)【特許請求の範囲】
【請求項１】
端末が、ネットワーク側で前記端末に上りリソースを割り当てるためのデバイス内の共存ＩＤＣ情報を持つ上りスケジューリングリクエストＳＲメッセージをセットする、
前記端末が前記ＳＲメッセージを発信する、及び、
前記端末が前記ネットワーク側で下り送信されたＳＲメッセージのフィードバック情報を受信し、前記フィードバック情報に携帯されたネットワーク側で割り当てられた上りリソースに基づいて通信する、
ステップが含まれ、
前記ネットワーク側で端末に割り当てられた上りリソースの時間領域と、ＬＴＥ／ＮＲ以外の他の無線技術の時間領域との間に間隔がある
ことを特徴とする複数の無線技術の共存干渉を低減する方法。
【請求項２】
前記ＩＤＣ情報には、デバイス内の共存指示情報、デバイス内に共存するＬＴＥ／ＮＲ以外の他の無線技術の受信周波数領域情報、デバイス内に共存するＬＴＥ／ＮＲ以外の他の無線技術の受信時間領域情報、デバイス内に共存するＬＴＥ／ＮＲ以外の他の無線技術の伝送周波数領域情報、デバイス内に共存するＬＴＥ／ＮＲ以外の他の無線技術の伝送時間領域情報、デバイス内の共存時間領域割当情報、及びデバイス内の共存周波数領域割当情報、のうちの一つまたは複数が含まれる、
請求項１に記載の方法。
【請求項３】
ネットワーク側でデバイス内の共存ＩＤＣ情報を持つ上りスケジューリングリクエストＳＲメッセージを受信する、及び、
前記ネットワーク側で前記ＩＤＣ情報に基づいて端末に上りリソースを割り当てる、
ステップが含まれ、
前記ネットワーク側で端末に割り当てられた上りリソースの時間領域と、ＬＴＥ／ＮＲ以外の他の無線技術の時間領域との間に間隔がある
ことを特徴とする複数の無線技術の共存干渉を低減する方法。
【請求項４】
前記ネットワーク側で端末に上りリソースを割り当てた後、更に、前記ネットワーク側でＳＲメッセージの、端末に割り当てられた前記上りリソースを持つフィードバック情報を端末に下り送信する
ステップが含まれる、請求項３に記載の方法。
【請求項５】
ネットワーク側で端末に上りリソースを割り当てるためのデバイス内の共存ＩＤＣ情報を持つ上りスケジューリングリクエストＳＲメッセージをセットするように設けられた設定モジュール、
前記ＳＲメッセージを送信するように設けられた第１の送信モジュール、及び、
前記ネットワーク側で下り送信したＳＲメッセージのフィードバック情報を受信し、前記フィードバック情報に携帯されたネットワーク側で割り当てられた上りリソースに基づいて通信するように設けられた受信処理モジュール
が含まれ、
前記ネットワーク側で端末に割り当てられた上りリソースの時間領域と、ＬＴＥ／ＮＲ以外の他の無線技術の時間領域との間に間隔がある
ことを特徴とする複数の無線技術の共存干渉を低減する装置。
【請求項６】
ネットワーク側でデバイス内の共存ＩＤＣ情報を持つ上りスケジューリングリクエストＳＲメッセージを受信するように設けられた受信モジュール、及び
前記ネットワーク側で前記ＩＤＣ情報に基づいて端末に上りリソースを割り当てるように設けられた割当モジュール、
が含まれ、
前記ネットワーク側で端末に割り当てられた上りリソースの時間領域と、ＬＴＥ／ＮＲ以外の他の無線技術の時間領域との間に間隔がある
ことを特徴とする複数の無線技術の共存干渉を低減する装置。
【請求項７】
ＳＲメッセージの、端末に割り当てられた前記上りリソースを持つフィードバック情報を端末に下り送信するように設けられた第２の送信モジュールが更に含まれる、請求項６に記載の装置。
【請求項８】
請求項５に記載の複数の無線技術の共存干渉を低減する装置を含む端末設備。
【請求項９】
請求項６または７に記載の複数の無線技術の共存干渉を低減する装置を含むネットワーク設備。
【請求項１０】
請求項１〜４のいずれか１項に記載の方法を実行するためのプログラムコードが記憶された記憶媒体。
【発明の詳細な説明】
【技術分野】
【０００１】
本開示は移動通信に関し、特に複数の無線技術の共存干渉を低減する方法、装置及び設備に関するものである。
【背景技術】
【０００２】
無線通信の需要の高まりに伴い、無線通信設備(例えば、スマート携帯端末)は、異なる無線技術をサポートする無線送受信機が複数組装着され、多重無線端末(Ｍｕｌｔｉｐｌｅ Ｒａｄｉｏ Ｔｅｒｍｉｎａｌ、ＭＲＴ)とされている。前記ＭＲＴにはロングタームエボリューション(ＬＴＥ)または進化したロングタームエボリューション(ＬＴＥ−Ａ)無線送受信機、ワイヤレスローカルエリアネットワーク(ＷＬＡＮ)アクセス無線送受信機、ブルートゥース（登録商標）無線送受信機及び全地球航法衛星システム無線送受信機などが共に設置可能にされている。同じ通信設備(ＭＲＴ)において複数の無線送受信機が併置または共存される現象はデバイス内共存(Ｉｎ−Ｄｅｖｉｃｅ Ｃｏｅｘｉｓｔｅｎｃｅ、ＩＤＣ)と呼ばれる。
【０００３】
スペクトル規制から言えば、異なる無線技術は重なるまたは隣接する無線スペクトルに実行されることが可能である。ＭＲＴにおける複数の無線送受信機が、重なるまたは隣接する無線スペクトルに同時に実行されるため、第１の無線送受信機に利用されるデータ伝送と第２の無線送受信機に利用されるデータ受信が時間領域で重なる場合、第２の無線送受信機のデータ受信が第１の無線送受信機のデータ発信に干渉する可能性があり、同様に、第２の無線送受信機のデータ発信も第１の無線送受信機のデータ受信に干渉する可能性もある。
【０００４】
上記の干渉を解決するように、ＬＴＥ／ＬＴＥ−Ａシステムにおいて無線リソース管理技術が幾つか提案されている。例えば、他の通信信号を禁止することにより、無線通信信号に対する干渉を低減する。その手段により干渉は低減したが、他の通信システムの中断を招き、すべての通信の品質を保証することができない。なお、更にＬＴＥユーザ設備に対して、スタート状態とアイドル状態となるように２種類の無線リソースコントロール状態が定義されてもよい。ＬＴＥユーザ設備がスタートされると、ネットワークがＵＥを干渉がある周波数／周波数領域に切り替えることを回避可能であったり、ＵＥをより良い信号品質を有するコミュニティに切り換る一方、ＵＥがアイドル状態になると、このＵＥは著しい干渉がある周波数(周波数領域)に留まることを回避する。しかし、当該手段はＬＴＥユーザ状態を検知する必要があり、交互検知プロセスが頻繁になり、通信リソースに対して無駄使いになる。
【発明の概要】
【発明が解決しようとする課題】
【０００５】
関連的に存在する技術課題を解決するために、本開示の実施例は複数の無線技術の共存干渉を低減する方法、装置及び設備を提供する。
【課題を解決するための手段】
【０００６】
上記目的を達するために、本開示の実施例の技術案は下記のように実現される。
【０００７】
本開示の実施例は、複数の無線技術の共存干渉を低減する方法を提供し、この方法には、端末が、ネットワーク側で前記端末に上りリソースを割り当るためのＩＤＣ情報を持つ上りスケジューリングリクエスト（ＳＲ）メッセージをセットする、及び前記端末が前記ＳＲメッセージを発信する、ステップが含まれる、複数の無線技術の共存干渉を低減する方法である。
【０００８】
その中で、前記ＩＤＣ情報には、デバイス内の共存指示情報、デバイス内に共存するＬＴＥ／ＮＲ以外の他の無線技術の受信周波数領域情報、デバイス内に共存するＬＴＥ／ＮＲ以外の他の無線技術の受信時間領域情報、デバイス内に共存するＬＴＥ／ＮＲ以外の他の無線技術の伝送周波数領域情報、デバイス内に共存するＬＴＥ／ＮＲ以外の他の無線技術の伝送時間領域情報、デバイス内の共存時間領域割当情報、及びデバイス内の共存周波数領域割当情報、のうちの一つまたは複数が含まれる。
【０００９】
好ましくは、この方法には、前記端末が前記ＳＲメッセージを発信した後、前記ネットワーク側から下り送信されたＳＲメッセージのフィードバック情報を受信し、前記フィードバック情報に搬送されたネットワーク側に割り当てられた上りリソースに基づいて通信する、ステップが更に含まれる。
【００１０】
その中で、前記ネットワーク側が端末に割り当てられた上りリソースは、時間領域または周波数領域と、ＬＴＥ／ＮＲ以外の他の無線技術の時間領域または周波数領域との間に間隔がある。
【００１１】
本開示の実施例は複数の無線技術の共存干渉を低減する方法を更に提供し、この方法は、ネットワーク側がＩＤＣ情報を持つＳＲメッセージを受信する、及び前記ネットワーク側が前記ＩＤＣ情報に基づいて端末に上りリソースを割り当てる、ステップが含まれる。
【００１２】
好ましくは、前記ネットワーク側が端末に上りリソースを割り当てた後、当該方法には更に、前記ネットワーク側がＳＲメッセージの、端末に割り当てられた前記上りリソースを持つフィードバック情報を端末に下り送信する、ステップが含まれる。
【００１３】
その中で、前記ネットワーク側が端末に割り当てられた上りリソースの時間領域または周波数領域と、ＬＴＥ／ＮＲ以外の他の無線技術の時間領域または周波数領域との間に間隔がある。
【００１４】
本開示の実施例は更に複数の無線技術の共存干渉を低減する装置を提供し、当該装置には、ネットワーク側で前記端末に上りリソースを割り当てるためのデバイス内の共存ＩＤＣ情報を持つＳＲメッセージを設定するように設けられた設定モジュール、及び前記ＳＲメッセージを送信するように設けられた第１の送信モジュール、が含まれる。
【００１５】
好ましくは、前記装置には更に、前記ネットワーク側が下り送信したＳＲメッセージのフィードバック情報を受信し、前記フィードバック情報に携帯されたネットワーク側で割り当てられた上りリソースに基づいて通信するように設けられた受信処理モジュール、が含まれる。
【００１６】
その中で、前記ネットワーク側が端末に割り当てられた上りリソースの時間領域または周波数領域と、ＬＴＥ／ＮＲ以外の他の無線技術の時間領域または周波数領域との間に間隔がある。
【００１７】
本開示の実施例は更に端末設備を提供し、前記端末設備には前述した複数の無線技術の共存干渉を低減する装置が含まれる。
【００１８】
本開示の実施例は更に複数の無線技術の共存干渉を低減する装置を提供し、当該装置には、ＩＤＣ情報を持つＳＲメッセージを受信するように設けられた受信モジュール、及び前記ＩＤＣ情報に基づいて端末に上りリソースを割り当てるように設けられた割当モジュール、が含まれる。
【００１９】
好ましくは、前記装置はに更に、ＳＲメッセージの、端末に割り当てられた前記上りリソースを持つフィードバック情報を端末に下り送信するように設けられた第２の送信モジュール、が含まれる。
【００２０】
その中で、前記ネットワーク側が端末に割り当てられた上りリソースの時間領域または周波数領域と、ＬＴＥ／ＮＲ以外の他の無線技術の時間領域または周波数領域との間に間隔がある。
【００２１】
本開示の実施例は更にネットワーク設備を提供し、前記ネットワーク設備には前述した複数の無線技術の共存干渉を低減する装置が含まれる。
【００２２】
本開示の実施例は更に、何れかの前記方法を実行するためのプログラムコードが記憶された記憶媒体を提供する。
【００２３】
本開示の実施例は複数の無線技術の共存干渉を低減する方法、装置及び設備を提供し、前記方法には、端末が、ネットワーク側で前記端末に上りリソースを割り当てるためのＩＤＣ情報を持つＳＲメッセージをセットする、及び、前記端末が前記ＳＲメッセージを発信する、ステップが含まれる。本開示の実施例は、ネットワーク側が前記ＩＤＣ情報に基づいて異なる無線技術通信の周波数領域または時間領域に対して別々にスケジューリングできるように、端末を介してネットワーク側にＩＤＣ情報を上り送信し、異なる無線技術通信が同時に実行されるようにして、それぞれの通信における通信品質を保証し、ユーザ体験を向上できる。
【図面の簡単な説明】
【００２４】
【図１】本開示の実施例に係る複数の無線技術の共存干渉を低減する方法に関する第１フロー模式図である。
【図２】本開示の実施例に係る複数の無線技術の共存干渉を低減する方法に関する第２フロー模式図である。
【図３】本開示の実施例に係る複数の無線技術の共存干渉を低減する装置に関する第１構成模式図である。
【図４】本開示の実施例に係る複数の無線技術の共存干渉を低減する装置に関する第２構成模式図である。
【図５】本開示の実施例に係る複数の無線技術の共存干渉を低減する装置に関する第３構成模式図である。
【図６】本開示の実施例に係る複数の無線技術の共存干渉を低減する装置に関する第４構成模式図である。
【図７】本開示シーンの実施例に係る端末的構成模式図である。
【図８】本開示シーンの実施例に係る複数の無線技術の共存干渉を低減する方法に関する第１フロー模式図である。
【図９】本開示シーンの実施例に係る複数の無線技術の共存干渉を低減する方法に関する第２フロー模式図である。
【発明を実施するための形態】
【００２５】
以下、例示的な実施例を参照しながら本開示を詳細に説明する。
【００２６】
本開示の実施例は複数の無線技術の共存干渉を低減する方法を提供し、図１に示すように、この方法には、
ステップ１０１として、端末が、ネットワーク側で前記端末に上りリソースを割り当るように設けられたＩＤＣ情報を持つＳＲメッセージをセットする、及び
ステップ１０２として、前記端末は前記ＳＲメッセージを発信する、
ステップが含まれる。
【００２７】
本開示の実施例において、前記端末は携帯電話、パーソナル・デジタル・アシスタント(ＰＤＡ)、スマート・ハンドヘルド・デバイス(ｓｍａｒｔ ｈａｎｄｈｅｌｄ ｄｅｖｉｃｅ)、ノートコンピュータ(ｌａｐｔｏｐ  ｃｏｍｐｕｔｅｒ)、タブレットコンピューター等であってもよい。
【００２８】
本開示の実施例において、前記ＩＤＣ情報には、デバイス内の共存指示情報(例えば、端末にＬＴＥ／ＮＲ(新規なインタフェース)と共存する他の無線技術が存在するか否かを指示する)、デバイス内に共存するＬＴＥ／ＮＲ以外の他の無線技術の受信周波数領域情報、デバイス内に共存するＬＴＥ／ＮＲ以外の他の無線技術の受信時間領域情報、デバイス内に共存するＬＴＥ／ＮＲ以外の他の無線技術の伝送周波数領域情報、デバイス内に共存するＬＴＥ／ＮＲ以外の他の無線技術の伝送時間領域情報、デバイス内の共存時間領域割当情報、及びデバイス内の共存周波数領域割当情報、のうちの一つまたは複数が含まれる。
【００２９】
本開示の実施例において、前記端末が前記ＳＲメッセージを発信した後、この方法には更に、前記端末が前記ネットワーク側で下り送信されたＳＲメッセージのフィードバック情報を受信し、前記フィードバック情報に携帯されたネットワーク側で割り当てられた上りリソースに基づいて通信する、ステップが含まれる。
【００３０】
本開示の実施例において、前記ネットワーク側が端末に割り当てられた上りリソースの時間領域または周波数領域と、ＬＴＥ／ＮＲ以外の他の無線技術の時間領域または周波数領域との間に間隔がある。ここで、前記ネットワーク側が端末に割り当てられた上りリソースを後述した実施例の説明を参照する。
【００３１】
本開示の実施例は、ネットワーク側が前記ＩＤＣ情報に基づいて異なる無線技術通信の周波数領域または時間領域に対して別々にスケジューリングするように、端末がネットワーク側にＩＤＣ情報を上り送信することにより、異なる無線技術通信が同時に実行されるようにして、各通信の通信品質を保証し、ユーザ体験を向上させる。
【００３２】
本開示の実施例は更に複数の無線技術の共存干渉を低減する方法を提供し、図２に示すように、この方法には、
ステップ２０１として、ネットワーク側がＩＤＣ情報を持つＳＲメッセージを受信する、及び
ステップ２０２として、前記ネットワーク側が前記ＩＤＣ情報に基づいて端末に上りリソースを割り当てる、ステップが含まれる。
【００３３】
本開示の実施例において、前記端末は携帯電話、ＰＤＡ、ｓｍａｒｔ ｈａｎｄｈｅｌｄ ｄｅｖｉｃｅ、ｌａｐｔｏｐ  ｃｏｍｐｕｔｅｒ、タブレットコンピューター等であってもよい。
【００３４】
本開示の実施例において、前記ＩＤＣ情報には、デバイス内の共存指示情報(例えば、端末にＬＴＥ／ＮＲ(新規なインタフェース)と共存する他の無線技術が存在するか否かを指示する)、デバイス内に共存するＬＴＥ／ＮＲ以外の他の無線技術の受信周波数領域情報、デバイス内に共存するＬＴＥ／ＮＲ以外の他の無線技術の受信時間領域情報、デバイス内に共存するＬＴＥ／ＮＲ以外の他の無線技術の伝送周波数領域情報、デバイス内に共存するＬＴＥ／ＮＲ以外の他の無線技術の伝送時間領域情報、デバイス内の共存時間領域割当情報、及びデバイス内の共存周波数領域割当情報、のうちの一つまたは複数が含まれる。
【００３５】
本開示の実施例において、前記ネットワーク側が端末に上りリソースを割り当てた後、この方法には更に、前記ネットワーク側がＳＲメッセージの、端末に割り当てられた前記上りリソースを持つフィードバック情報を端末に下り送信する、ステップが含まれる。
【００３６】
その中で、前記ネットワーク側が端末に割り当てられた上りリソースの時間領域または周波数領域と、ＬＴＥ／ＮＲ以外の他の無線技術の時間領域または周波数領域との間に間隔がある。
【００３７】
本開示の実施例は、ネットワーク側がＩＤＣ情報に基づいて異なる無線技術通信の周波数領域または時間領域に対して別々にスケジューリングできるように、端末を介してネットワーク側に前記ＩＤＣ情報を上り送信し、異なる無線技術通信が同時に実行されるようにして、それぞれの通信における通信品質を保証し、ユーザ体験を向上させる。
【００３８】
本開示の実施例は更に複数の無線技術の共存干渉を低減する装置を提供し、該装置は、上記実施例及び好ましい実施形態が実現されるように設けられ、すでに説明した内容について説明を略する。以下に使われる用語「モジュール」、及び「ユニット」は所定の機能を実現するソフトウェア及び／又はハードウェアの組合せを意味する。図３に示すように、この装置には、ネットワーク側で前記端末に上りリソースを割り当るように設けられたＩＤＣ情報を持つ上りスケジューリングリクエストＳＲメッセージをセットするように設けられた設定モジュール３０１、及び前記ＳＲメッセージを送信するように設けられた第１の送信モジュール３０２、が含まれる。
【００３９】
本開示の実施例において、図４に示すように、前記装置には更に、前記ネットワーク側が下り送信したＳＲメッセージのフィードバック情報を受信し、前記フィードバック情報に携帯されたネットワーク側に割り当てられる上りリソースに基づいて通信するように設けられた受信処理モジュール３０３、が含まれる。
【００４０】
本開示の実施例において、前記ＩＤＣ情報には、デバイス内の共存指示情報(例えば、端末にＬＴＥ／ＮＲ(新規なインタフェース)と共存する他の無線技術が存在するか否かを指示する)、デバイス内に共存するＬＴＥ／ＮＲ以外の他の無線技術の受信周波数領域情報、デバイス内に共存するＬＴＥ／ＮＲ以外の他の無線技術の受信時間領域情報、デバイス内に共存するＬＴＥ／ＮＲ以外の他の無線技術の伝送周波数領域情報、デバイス内に共存するＬＴＥ／ＮＲ以外の他の無線技術の伝送時間領域情報、デバイス内の共存時間領域割当情報、及びデバイス内の共存周波数領域割当情報、のうちの一つまたは複数が含まれる。
【００４１】
その中で、前記ネットワーク側が端末に割り当てられた上りリソースの時間領域または周波数領域と、ＬＴＥ／ＮＲ以外の他の無線技術の時間領域または周波数領域との間に間隔がある。
【００４２】
実際に適用される場合、前記設定モジュール３０１と受信処理モジュール３０３は、端末におけるセントラルプロセッサユニット(ＣＰＵ)、デジタルシグナルプロセッサ(ＤＳＰ)及びフィールドプログラマブルゲートアレイ(ＦＰＧＡ)などであってよく、前記第１の送信モジュール３０２は、端末における関連する通信モジュールに対応するアンテナであってもよい。
【００４３】
本開示の実施例は更に別の複数の無線技術の共存干渉を低減する装置を提供し、図５に示すように、この装置には、ＩＤＣ情報を持つＳＲメッセージを受信するように設けられた受信モジュール５０１、及び
前記ＩＤＣ情報に基づいて端末に上りリソースを割り当てるように設けられた割当モジュール５０２、が含まれる。
【００４４】
本開示の実施例において、前記ＩＤＣ情報には、デバイス内の共存指示情報(例えば、端末にＬＴＥ／ＮＲ(新規なインタフェース)と共存する他の無線技術が存在するか否かを指示する)、デバイス内に共存するＬＴＥ／ＮＲ以外の他の無線技術の受信周波数領域情報、デバイス内に共存するＬＴＥ／ＮＲ以外の他の無線技術の受信時間領域情報、デバイス内に共存するＬＴＥ／ＮＲ以外の他の無線技術の伝送周波数領域情報、デバイス内に共存するＬＴＥ／ＮＲ以外の他の無線技術の伝送時間領域情報、デバイス内の共存時間領域割当情報、及びデバイス内の共存周波数領域割当情報、のうちの一つまたは複数が含まれる。
【００４５】
本開示の実施例において、図６に示すように、前記装置には更に、ＳＲメッセージの、端末に割り当てられた前記上りリソースを持つフィードバック情報を端末に下り送信するように設けられた第２の送信モジュール５０３、が含まれる。
【００４６】
本開示の実施例において、前記ネットワーク側が端末に割り当てられた上りリソースの時間領域または周波数領域と、ＬＴＥ／ＮＲ以外の他の無線技術の時間領域または周波数領域との間に間隔がある。
【００４７】
実際に適用される場合、前記受信モジュール５０１と割当モジュール５０２は、ネットワーク設備におけるＣＰＵ、ＤＳＰ及びＦＰＧＡなどであってよく、前記第２の送信モジュール５０３はアンテナなどであってもよい。
【００４８】
本開示の実施例は更に端末設備を提供し、前記端末設備には、図３及び図４に記載された複数の無線技術の共存干渉を低減する装置が含まれる。前記端末設備は、携帯電話、ＰＤＡ、ｓｍａｒｔ ｈａｎｄｈｅｌｄ ｄｅｖｉｃｅ、ｌａｐｔｏｐ  ｃｏｍｐｕｔｅｒ、及びタブレットコンピューターなどであってもよい。
【００４９】
本開示の実施例は更にネットワーク設備を提供し、例えば基地局であり、前記ネットワーク設備には、図５と図６に記載された複数の無線技術の共存干渉を低減する装置が含まれる。
【００５０】
以下に、シーンの実施例とあわせて本開示を説明する。
【００５１】
本実施例は端末がＬＴＥセルラー無線通信技術における上り通信を行うとき、共存する無線伝送技術ＷＩＦＩに対する干渉を考慮する。当該干渉を回避するため、下記案を提出する。
【００５２】
図７に示すように、前記端末ＡにＬＴＥ通信モジュールとＷＩＦＩ通信モジュールが設置され、現在、前記端末は同時にＬＴＥ通信モジュールとＷＩＦＩ通信モジュールにおいて通信を行い、即ち、ＬＴＥ通信とＷＩＦＩ通信が共存し、前記ＩＤＣ処理モジュールは共存する無線技術通信の間の干渉を処理するように設けられる。前記端末がＬＴＥ ｅＮＢに上りデータを送信するとき、上りスケジューリングクエストを行って、上りリソースの割り当を要求する必要がある。例示的なフローは、図８に示すように以下のステップを含む。
【００５３】
ステップ８０１では、端末はＩＤＣ情報を持つＳＲメッセージを送信する。
ここで、前記端末は自身の通信状態に応じて、ＷＩＦＩモジュールも関連するデータ通信を行っていることを判明し、上りスケジューリングリクエストを送信するとき、ＳＲメッセージにＩＤＣ情報を持たせ、前記端末にＷＩＦＩデータ通信を行うことを指示する。
【００５４】
ステップ８０２では、ネットワーク設備はＩＤＣ情報に基づいて上りリソースを割り当て、スケジューリング応答を端末に送信する。
その中で、前記ネットワーク設備は前記ＳＲメッセージを受信した後、端末にＷＩＦＩ２．４ＧＨＺ周波数領域から離れる上りリソースを割り当て、端末はこの上りリソースを利用してデータ送信を行い、共存する無線技術に対する干渉を低減する。
ここで、前記ＷＩＦＩ２．４ＧＨＺ周波数領域から離れる上りリソースとは、この上りリソースの所在するＲＢ(物理リソースブロック)はこのセルにおけるすべての上りリソースブロックの中の所在する周波数とＷＩＦＩ２．４ＨＺとの差分がより大きいＲＢである。
【００５５】
好ましくは、前記上りリソースは、前記ＷＩＦＩ２．４ＧＨＺ周波数領域から離れるＲＢにおける２．４ＧＨＺとの差分がより大きい一つまたは複数のサブキャリアリソースであってもよい。
【００５６】
ステップ８０３では、端末は割り当てられた上りリソースに応じて通信を行う。
【００５７】
好ましくは、上記シーンに基づき、本実施例は更に別のＬＴＥ通信とＷＩＦＩ通信との共存干渉を低減する方法を提供し、図９に示すように、当該方法は、以下のステップを含む。
【００５８】
ステップ９０１では、端末はＩＤＣ情報を持つＳＲメッセージを送信する。
ここで、前記端末は自身の通信状態に応じて、ＷＩＦＩモジュールも関連するデータ通信を行っていることを判明し、上りスケジューリングリクエストを送信するとき、ＳＲメッセージにＩＤＣ情報を持たせ、前記端末にＷＩＦＩデータ通信を行うことを指示する。
【００５９】
ステップ９０２では、ネットワーク設備はＩＤＣ情報に応じて上りリソースを割り当て、スケジューリング応答を端末に送信する。
その中で、前記ネットワーク設備は前記ＳＲメッセージを受信した後、端末は、規定されたタイムスロットでＬＴＥ上り伝送を行うようにスケジューリングされる。
ここで、前記規定されたタイムスロットとは、指定された複数のサブフレームである。前記端末が前記サブフレームでＬＴＥ上り伝送を行うとき、端末は前記サブフレームに所属する時間でＷＩＦＩ通信を行わない。
【００６０】
ステップ９０３では、端末は割り当てられた上りリソースに応じて通信を行う。
【００６１】
本開示の実施例が、方法、システム、もしくはコンピュータプログラム製品として提供されることが、当業者には自明である。それ故、本開示では、ハードウェアの実施例、ソフトウェアの実施例、もしくはソフトウェアとハードウェアを組合せる実施例の形が採用される。しかも、本開示では、一つ以上のコンピュータに読み取り可能なプログラムコードが含まれる、コンピュータに使われる可能な記憶媒体(磁気ディスクストレージと光学ストレージなどを含むがこれらに限定されるものではない)に適用されるコンピュータプログラム製品の形が採用される。
【００６２】
本開示は、本開示の実施例に基づいた方法、設備(システム)、及びコンピュータプログラム製品のフローチャート及び／又はブロック図を参照して述べられた。コンピュータプログラムコマンドにより、フローチャート及び／又はブロック図における各フロー及び／又はブロック、及び、フローチャート及び／又はブロック図におけるフロー及び／又はブロックの組み合わせを実現できることが理解される。これらコンピュータプログラムコマンドを汎用コンピュータ、専用コンピュータ、嵌込式プロセッサもしくは他のプログラマブルデータ処理設備のプロセッサに提供して一つの機器を生成し、コンピュータもしくは他のプログラマブルデータ処理設備のプロセッサにより実行されたコマンドがフローチャートの一つのフローもしくは複数のフロー及び／又はブロック図の一つのブロックもしくは複数のブロックに指定された機能を実現するように設置される装置を生成させる。
【００６３】
これらコンピュータプログラムコマンドは、コンピュータもしくは他のプログラマブルデータ処理設備を案内し規定の形態で作動させるコンピュータ可読メモリに記憶してもよく、このコンピュータ可読メモリに記憶されるコマンドにコマンド装置の製造品を生成させ、このコマンド装置は、フローチャートの一つのフローもしくは複数のフロー及び／又はブロック図の一つのブロックもしくは複数のブロックに指定された機能を実現する。
【００６４】
これらコンピュータプログラムコマンドは、コンピュータもしくは他のプログラマブルデータ処理設備にアップロードされてもよく、コンピュータもしくは他のプログラマブル設備に一連の操作ステップを実行させ、コンピュータにより実現される処理を生成し、コンピュータもしくは他のプログラマブル設備に実行されるコマンドは、フローチャートの一つのフローもしくは複数のフロー及び／又はブロック図の一つのブロックもしくは複数のブロックに指定された機能を実現するためのステップを提供する。
【００６５】
以上に述べた内容は、あくまでも本開示の好ましい実施例であり、本開示の保護範囲を限定するものではない。
【産業上の利用可能性】
【００６６】
本開示の実施例は複数の無線技術の共存干渉を低減する方法を提供し、端末を介してネットワーク側にＩＤＣ情報を上り送信し、ネットワーク側が前記ＩＤＣ情報に応じて異なる無線技術通信の周波数領域または時間領域に対して別々にスケジューリングでき、異なる無線技術通信が同時に実行されるようにして、それぞれの通信における通信品質を保証し、ユーザ体験を向上できる。
【図１】
0006942811.tif 000002
【図２】
0006942811.tif 000003
【図３】
0006942811.tif 000004
【図４】
0006942811.tif 000005
【図５】
0006942811.tif 000006
【図６】
0006942811.tif 000007
【図７】
0006942811.tif 000008
【図８】
0006942811.tif 000009
【図９】
0006942811.tif 000010